【誤訳訂正書】
【提出日】令和3年8月17日(2021.8.17)
【誤訳訂正１】
【訂正対象書類名】明細書
【訂正対象項目名】全文
【訂正方法】変更
【訂正の内容】
【発明の詳細な説明】
【発明の名称】方向性微細構造を有する材料
【技術分野】
【０００１】
本明細書において説明する例示的かつ非限定的実施形態は概して、電気絶縁領域を含む方向性微細構造を有する材料と、そのような材料を取り入れた構造に関し、より具体的には、方向および場所により異なる微細構造を有する材料に関する。そのような微細構造により、方向および場所により異なる物理的性質が材料に備わる。本明細書において説明する例示的かつ非限定的実施形態は、より具体的に、そのような材料の作製方法と、そのような材料を用いる装置の製造方法にも関する。
【先行技術の簡単な説明】
【０００２】
米国特許第９,２０５,４８８号には、スプレー成形プロセスによって作製された軟磁性材料が記載されている。米国特許出願公開公報第２０１３/００００８６０号には、積層された粒子堆積に基づくスプレー成形プロセスが記載されている。
【摘要】
【０００３】
以降の摘要は、単に例として示されたものである。この摘要は特許請求の範囲を制限するものではない。
【０００４】
一態様では、材料は、複数の領域から成る少なくとも１つの層を含む。前記領域はそれぞれ、第１の方向に平坦であり、前記第１の方向に垂直な第２の方向に引き延ばされている。前記平坦かつ引き延ばされた領域は複数で、前記第２の方向に磁束フローを促進する異方性微細構造を定める。
【０００５】
別の態様では、ラジアル界磁電動モータの固定子コアは、軸周りに回転するように構成されたリング構造を有するヨークと、前記ヨークの内向き面から径方向内側に延在する複数の歯構造とを備える。前記ヨークは、それぞれ複数の領域から成る複数の層によって定められる材料から成る。各層の前記領域は、第１の方向に平坦であり、前記第１の方向に垂直な第２の方向に引き延ばされている。前記平坦かつ引き延ばされた領域は複数で、前記ヨークにおいて前記第２の方向に磁束フローを促進する異方性微細構造を定める。
【０００６】
別の態様では、ハイブリッド界磁電動モータの固定子巻線コアは、リング構造を有するヨークと、前記ヨークの内向き面上の複数の歯とを備える。前記ヨークおよび前記歯は、それぞれ複数の領域から成る複数の層によって定められる材料から成る。各層の前記領域は、第１の方向に平坦であり、前記第１の方向に垂直な第２の方向に引き延ばされている。前記平坦かつ引き延ばされた領域は複数で、前記ヨークおよび前記歯の１つ以上において前記第２の方向に磁束フローを促進する異方性微細構造を定める。
【図面の簡単な説明】
【０００７】
前述の態様や他の特徴は以降の記述で説明されるが、次の添付図面を参照している。
【０００８】
【図１】図１は、電気絶縁領域を含む方向性微細構造を有する材料の一例示的実施形態の概略図である。
【０００９】
【図２】図２は、図１の材料の等角投影図である。
【００１０】
【図３】図３Ａから図３Ｃは、図１の材料を成形するプロセスの一例示的実施形態の概略図である。
【００１１】
【図４Ａ】図４Ａは、電気絶縁層を含む方向性微細構造を有する材料の一例示的実施形態の概略図である。
【図４Ｂ】図４Ｂは、電気絶縁層を含む方向性微細構造を有する材料の一例示的実施形態の概略図である。
【００１２】
【図５】図５は、図４Ａおよび図４Ｂの材料の等角投影概略図である。
【００１３】
【図６】図６Ａから図６Ｃは、方向および場所により異なるパターンを有する方向性微細構造を有する材料の概略図である。
【００１４】
【図７】図７Ａおよび図７Ｂは、図６Ａから図６Ｃの材料を成形するプロセスの一例示的実施形態の概略図である。
【００１５】
【図８】図８Ａおよび図８Ｂは、方向性微細構造を有する材料を取り入れたラジアル界磁電動モータにおける固定子コアの一例示的実施形態の概略図である。
【００１６】
【図９】図９Ａおよび図９Ｂは、方向および場所により異なる微細構造を有するラジアル界磁電動モータにおける固定子コアの例示的実施形態の概略図である。
【００１７】
【図１０】図１０は、方向性微細構造を有するハイブリッド界磁電動モータの固定子巻線コアの一部の一例示的実施形態を示す断面図である。
【００１８】
【図１１Ａ】図１１Ａは、図１０の固定子巻線コアの一部であって、２つの歯を示す図である。
【００１９】
【図１１Ｂ−Ｃ】図１１Ｂおよび図１１Ｃは、図１１Ａに示す歯の断面図である。
【００２０】
【図１２】図１２は、図１０の固定子巻線コアの区域ごとの方向性微細構造を示す概略図である。
【図１３】図１３は、図１０の固定子巻線コアの区域ごとの方向性微細構造を示す概略図である。
【図１４】図１４は、図１０の固定子巻線コアの区域ごとの方向性微細構造を示す概略図である。
【００２１】
【図１５】図１５は、固定子巻線コアの区域ごとの微細構造の遷移を示す概略図である。
【実施例の詳細説明】
【００２２】
参照することにより全体が本明細書に組み込まれる米国特許第９,２０５,４８８号には、スプレー成形プロセスによって作製された軟磁性材料が記載されている。材料の微細構造は、電気絶縁境界によって分離された密集領域（結晶粒）によって特徴付けられる。そのような材料の用途として電動モータ等の電気機械の巻線コアが挙げられる。このような巻線コアには、渦電流損失を制御するために、高い透磁性、高い飽和磁束密度、高い電気抵抗率等の適切な磁性特性を有する材料が用いられる。
【００２３】
前述の材料の微細構造は、該材料の容積内で実質的に同じであり、該材料は、実質的に等方性の物理的性質を有してもよい（すなわち、すべての方向において性質がほぼ同一である）。これによって、一般的な用途のスプレー成形部品およびバルクスプレー成形材料の作製が可能になるが、特定の用途向けに設計された（最適化された）方向および場所により異なる性質を有する異方性材料から利益を得るであろう用途も多い。
【００２４】
図１を参照すると、電気絶縁領域を含む方向性微細構造を有する材料の一例示的実施形態が、１０として概略的に図示されている。以降、これを「材料１０」と称する。これらの特徴を、図面に示す例示的実施形態を参照して説明するが、他の様々な実施形態によっても実現可能であることを理解されたい。また、任意の適切なサイズ、形状、または種類の要素や材料を使用可能である。
【００２５】
図示のとおり、材料１０は方向により偏りのある異方性微細構造を有してもよい。図１に示すように、異方性微細構造は複数の領域１２（結晶粒）を含んでもよく、領域１２は、磁束フロー１４を好ましい方向に促進するような形状であってもよい。具体的には、領域１２（結晶粒）は好ましい磁束フロー方向（ｘ方向１６）に沿って引き延ばされており、該好ましい磁束フロー方向に垂直な方向（ｚ方向１８）に平坦であってもよい。
【００２６】
前述の異方性微細構造のため、材料１０は方向的な磁性特性を呈してもよい。例えば、好ましい磁束フロー方向（ｘ方向１６）において透磁性を高くする一方で、該好ましい磁束フロー方向に垂直な方向（ｚ方向１８）において電気抵抗率を所望の高さに維持（または電気抵抗率を高く）してもよい。
【００２７】
図２を参照すると、材料１０の等角投影図において、微細構造を３つの直交する平面で示している。図２に示すとおり、微細構造の各領域１２（結晶粒）は、ｘｙ平面１９として示す好ましい平面において磁束フローを促進するような形状であってもよい。具体的には、各領域１２（結晶粒）は好ましい磁束フロー平面（ｘｙ平面１９）において大きく、該好ましい磁束フロー面に垂直な方向（ｚ方向１８）に平坦であってもよい。
【００２８】
ここで図３Ａから図３Ｃを参照すると、図１および図２の材料１０の方向性微細構造は、例えばスプレー成形プロセスによって作製されてもよい。堆積される粒子の速度および温度等の、スプレー成形プロセスのパラメータは、所望の程度のスプラッティング、すなわち、個々の粒子２０の付着時における扁平変形を達成するように設定してもよい。具体的には、堆積方向に沿った粒子２０の寸法を小さくし、堆積方向に垂直な平面における粒子２０のサイズを大きくしてもよい。これによって、前述のような、材料１０の微細構造における領域１２（結晶粒）の形状が作り出される。図３Ａに、堆積方向２２に堆積される粒子２０を示している。ここで、所望の形状は堆積時に得られ、粒子２０は任意の速度で堆積方向２２に移動する。図３Ｂにおいて、粒子２０は、事前に堆積された材料１０に接触する。図３Ｃにおいて、粒子２０は堆積時に所望の形状へと変形する。
【００２９】
スプレー成形プロセスは、アークワイヤ法、プラズマ法、高速酸素燃料プロセス、高速空気燃料プロセス、コールドスプレープロセス、または他の任意の適切な堆積プロセスに基づいてもよい。同様に、領域１２（結晶粒）同士間の電気絶縁境界は適切な技術を用いて作製してもよい。
【００３０】
スプレー成形プロセスには様々な化学作用を用いてもよい。例として、鉄合金（例えば、導電性材料材料）を領域のコアに用いてもよく、領域間に電気絶縁境界を設けるために酸化アルミニウム等の酸化物を形成してもよい。鉄合金上の酸化アルミニウムの形成は、飛行中の鉄合金粒子に酸化アルミニウムをスプレーすることによって実行してもよい。渦電流を抑制するために、酸化アルミニウムの導電性は所望の程度に低くてもよく、この低導電性は温度上昇時にも安定したままであってよい。これは巻線コアの用途に必要な特性である。鉄合金または他のコア材料と共に用いてもよい他の材料には、アルミニウム、コバルト、ニッケル、シリコン等があるが、これらに限らない。
【００３１】
ここで図４Ａおよび図４Ｂを参照すると、好ましい磁束フロー方向（ｘ方向１６）の電気絶縁境界を除去して、複数の電気絶縁層を含む方向性微細構造を設けることによって、材料の方向的な偏り（すなわち異方性）をさらに大きくしてもよい。結果として成形される微細構造はコア材料の層３０を複数含み、これらの層３０は、実質的に連続する電気絶縁（非導電）境界３２によって互いに分離されてもよい。
【００３２】
図４Ａに示す微細構造において、コア材料の層３０はそれぞれ、堆積された粒子（領域１２）の単一の層から成る。この層において、次に堆積された層内の堆積された粒子（領域１２）は、下の層３０内の堆積された粒子（領域１２）の上に部分的に重なる。図４Ｂに示す微細構造において、コア材料の層３０はそれぞれ、堆積された粒子２０の複数の層から成る。この場合、コア材料の同じ層３０内に堆積された粒子は、互いに電気的に絶縁されていない。いくつかの実施形態において、ｘ方向１６の電気絶縁境界を除去して電気絶縁層３０を成形することは、鉄合金粒子の堆積と、酸化アルミニウム被覆を有する鉄合金粒子の堆積とを交互に行うこと（または、単に鉄合金粒子の堆積と酸化アルミニウムの堆積とを交互に行うこと）を含んでもよい。
【００３３】
ここで図５を参照すると、層３０の微細構造が３つの直交する平面で示されている。図示のとおり、好ましい磁束平面において（実質的にｘｙ平面１９と平行）、電気絶縁境界３２を除去してもよい。ここでも、結果として成形される微細構造はコア材料の層３０を複数含んでもよく、これらの層３０は、実質的に連続する電気絶縁（非導電）境界３２によって互いに分離される。
【００３４】
図４Ａ、図４Ｂ、および図５における例示的材料の微細構造は、例えば、積層された粒子堆積に基づくスプレー成形プロセス（参照することにより全体が本明細書に組み込まれる米国特許出願公開公報第２０１３/００００８６０号）によって作製されてもよい。このプロセスのパラメータは、実質的に連続する電気絶縁境界３２によって分離された導電性材料の層を複数作製するように選択してもよい。
【００３５】
スプレー成形された異方性材料の前述の例は、平面形状以外に便宜的に拡張してもよい。一般的に、材料の微細構造は、好ましい非平面に沿って磁束フローを促進するように設計し、それによって３次元の積層体と同等のものを作成してもよい。
【００３６】
さらに、本実施形態による材料の微細構造は、所望の磁束フロー経路を反映するパターンを特徴としてもよい。非平面形状およびパターンの例について以下に説明する。
【００３７】
ここで図６Ａから図６Ｃを参照すると、ここで説明する例示的実施形態は、方向および場所により異なるパターンを含んでもよい。図６Ａに示す領域１２のパターン４０の一例は、矢印４２によって示す方向に磁束を伝導するために用いてもよい。別の例として図６Ｂに示す湾曲した微細構造６０は、周方向６２に磁束を伝導するために用いてもよい。さらに別の例として図６Ｃに示す微細構造は、第１の部分８０と第２の部分８２に分割される磁束フローに用いてもよい。前述の実施形態のいずれにおいても、領域１２の層は、磁束を非直線方向に伝導するように湾曲していてもよい。
【００３８】
図６Ａから図６Ｃのすべての例において、好ましい磁束フロー表面に沿って透磁性を高くすると同時に、該好ましい磁束フロー表面に垂直な方向に電気抵抗率を維持または高くしてもよい。
【００３９】
図６Ａの例示的パターンは、例えば、図１、図４Ａ、および図４Ｂに示すように、平面上に、該面に実質的に垂直な方向に材料を堆積（スプレー成形）させることによって作製してもよい。同様に、図６Ｂの例示的パターンは、例えば、円筒面上に、実質的に径方向に材料を堆積（スプレー成形）させることによって作製してもよい。
【００４０】
図６Ｃの例示的パターンは、例えば、図７Ａおよび図７Ｂに示すプロセスによって作成してもよい。図７Ａに示すように、平坦な粒子の領域１２から成る緩やかな傾斜面１０２を最初に成形してもよい。次に、図７Ｂに示すように、堆積方向を変えて（調整して）追加の材料を堆積させてもよく、これによって、先に作成された表面に実質的に垂直な方向１０４に、該追加材料が領域１２'として堆積される。結果として、材料の微細構造における領域１２（結晶粒）の形状（平坦化及び伸展）の向き（方向）が所望のように変更される。図７Ａおよび図７Ｂのステップを繰り返して、材料の微細構造における領域１２（結晶粒）の形状（平坦化及び伸展）の向き（方向）をさらに変更してもよい。
【００４１】
図６Ａから図６Ｃに示す例示的な方向性微細構造は、以下の例に示すように、同じスプレー成形部品上に混在してもよい。
【００４２】
図８Ａおよび図８Ｂに、ラジアル界磁電動モータの固定子コア１４０の一例示的実施形態を概略的に示している。固定子コア１４０は、リング型構造として構成されたヨーク１４１と、該リング構造の内向き面から延在する少なくとも１つの歯１４３とを備える。固定子コア１４０は、方向性微細構造を有する材料をさらに備える。図８Ａに示すように、モータの回転軸を軸ｚとして示している。
【００４３】
図８Ｂはまた、モータを軸方向に（すなわちモータの回転軸、軸ｚに沿って）見た際の、固定子コア１４０の一部分における材料の微細構造を示している。図８Ａは、モータを径方向に見た際（すなわち、周方向の容積を区画する円筒面（固定子コア１４０のヨーク１４１とも呼ばれる）上で微細構造を見た場合）の、固定子コア１４０の微細構造を示している。
【００４４】
図８Ａおよび図８Ｂの例示的固定子コア１４０の微細構造は、モータの回転軸に垂直な平面における磁束フローを促進する。この微細構造は、電動モータに用いられる積層固定子コアと同等の固体と見なされてもよい。
【００４５】
図８Ａおよび図８Ｂの例示的固定子コア１４０は、例えば、固定子コアの材料を軸方向に堆積させること、すなわち、モータの回転軸に平行な方向に材料を堆積（スプレー成形）させることによって作製してもよい。
【００４６】
図９Ａおよび図９Ｂは、方向および場所により異なる微細構造を有する材料を取り入れたラジアル界磁電動モータの固定子コア１８０、１８０'の別の例を概略的に示している。図９Ａおよび図９Ｂに示すように、固定子コア１８０、１８０'それぞれの周方向容積（ヨーク１８１、１８１'）における微細構造は、ヨーク１８１、１８１'における周方向の磁束フローを促進するように構成されてもよく、固定子コアの歯１８３、１８３'における微細構造は、モータの回転子が回転する際の磁束方向の変化に対応するように等方性であってもよい。図９Ａおよび図９Ｂにそれぞれ示す固定子コア１８０、１８０'は、ヨークの微細構造と歯の微細構造との間の遷移境界の場所が異なる。
【００４７】
図９Ａおよび図９Ｂの例示的固定子コア１８０、１８０'は、例えば、固定子コアの材料を径方向に積層させる、すなわち、材料の堆積（スプレー成形）方向を固定子コア周りに回転させることによって作製してもよく、より便宜的には、固定子コアを回転させながら、一定の場所において径方向に材料を堆積させることで作製してもよい。堆積（スプレー成形）プロセスにおいて、該プロセスのパラメータは、ここで説明するように、所望の形状の領域１２（結晶粒）を得るように変更（調整）してもよい。
【００４８】
例えば、図９Ａに示すような方向および場所により異なる微細構造を作製するために、固定子コア１８０を回転させてもよく、材料を一定の場所において径方向に堆積させてもよく、２セットのプロセスパラメータを用いてもよい。まず、固定子コア１８０の歯１８３に対応する内側部分を成形する際に、実質的に等方性の微細構造を作製するためのプロセスパラメータを設定してもよい。その後、固定子コア１８０のヨーク１８１に対応する外側部分を成形する際に、所望の異方性の微細構造を作製するためのプロセスパラメータを設定する。この場合、堆積される材料の径方向の堆積の関数として、これらのプロセスパラメータを切り替えてもよい。
【００４９】
別の例として、図９Ｂに示すような方向および場所により異なる微細構造を作製するために、固定子コア１８０'を回転させる際に前述の２セットのプロセスパラメータを交互に用いてもよく、これによって所望の微細構造の等方性構成と異方性構成が交互に繰り返される。この場合、固定子コアの角位置の関数として、これらのプロセスパラメータを定期的に切り替えてもよい。
【００５０】
ここで図１０を参照すると、方向性微細構造を有する材料を取り入れたハイブリッド界磁電動モータの例示的な固定子巻線コア２２０が示されている。図１０に示すように、固定子巻線コア２２０はヨーク２２２と複数の歯２２４とを備えてもよい。ヨーク２２２はリング構造を有してもよく、このリング構造内に回転子（または他の構成要素）が収容されてもよいように、リング構造の内向き面に歯２２４が配置されている。
【００５１】
図１１Ａは、例示的固定子巻線コア２２０の一部であって、２つの歯２２４を示す図である。図１１Ｂおよび図１１Ｃはそれぞれ、固定子巻線コア２２０の歯２２４の２つの直交する中央平面に沿った断面図である。
【００５２】
図１１Ｂに示すように、歯の主要部分における磁束フロー（１として示す）は、双方向であっても、径方向内向きであっても、径方向外向きであってもよい。同様に、ヨークの主要部分における磁束フロー（図１１Ｃの４として示す）は、双方向であっても、時計回りであっても、反時計回りであっても、モータ軸と同軸であってもよい。２および３として示す区域（図１１Ｂ）では磁束フローは双方向であってもよいが、固定子の主軸（例えば、固定子巻線コア２２０またはヨーク２２２がその周りに回転する軸）に対して角度を成す。１、２、３、および４として示す区域はすべて、固定子歯の２つの中央平面上にあってもよい。５および６として示す区域（図１１Ｃ）は中央平面から離れていてもよく、これらの区域における磁束フローは全方向であってもよいが、固定子の主平面に角度を成す平面内に限定される。
【００５３】
最適な性能のために、さらに図１１Ｂおよび図１１Ｃを参照すると、１、２、３、および４として示す区域には、磁束フロー方向（表面）に沿って高い透磁性を有し、磁束フロー方向（表面）に垂直な方向に高い電気抵抗率を有する材料１０を用いてもよい。５および６として示す、磁束フローが任意の平面に限定された区域には、磁束フロー平面において高い透磁性を有し、該平面に垂直な方向に高い電気抵抗率を有する材料を用いてもよい。
【００５４】
図１１Ａから図１１Ｃにおいて前述した方向および場所により異なる特性は、本実施形態に従って提供される方向および場所により異なる微細構造によって促進してもよい。図１２から図１５の例に示すとおり、ある区域と次の区域で方向が変わってもよい。図１２から図１４に、固定子巻線コアの区域１、２、および３における所望の方向性微細構造の例を示している（図１２は区域１の方向性微細構造、図１３は区域２の方向性微細構造、および図１４は区域３の方向性微細構造の図である）。図１５は、微細構造がこれらの区域を通して遷移し、磁束フローが変わる様子を示している。
【００５５】
図１２から図１５において説明したハイブリッド界磁モータの、方向および場所により異なる例示的微細構造は、本明細書において上述した堆積（スプレー成形）技術によって作製してもよい。
【００５６】
図６Ａから図１５では、図１および図２の例示的微細構造に一致する材料の微細構造を記載しているが、図４および図５の例示的微細構造を用いてもよいことに留意されたい。
【００５７】
一態様では、材料は、複数の領域から成る少なくとも１つの層を含む。前記領域はそれぞれ、第１の方向に平坦であり、前記第１の方向に垂直な第２の方向に引き延ばされている。前記平坦かつ引き延ばされた領域は複数で、前記第２の方向に磁束フローを促進する異方性微細構造を定める。
【００５８】
前記領域はそれぞれ導電性材料コアを有してもよい。前記導電性材料コアは、該コア上に絶縁境界を形成する電気絶縁材料被覆によって少なくとも部分的に覆われる。前記導電性材料コアは鉄合金から成ってもよく、前記電気絶縁材料被覆は酸化アルミニウムから成ってもよい。前記平坦かつ引き延ばされた領域は、前記第１の方向の透磁性に対して、前記第２の方向の透磁性が高くてもよい。前記平坦かつ引き延ばされた領域は、前記第２の方向の電気抵抗率に対して、前記第１の方向の電気抵抗率が高くてよい。前記材料は、それぞれ複数の領域から成る少なくとも２つの層をさらに含んでもよい。前記層のうち少なくとも１つの層の前記領域はそれぞれ導電性材料から成り、前記層の他の層のうち少なくとも１つの層の前記領域はそれぞれ電気絶縁材料から成り、前記他の層のうちの前記少なくとも１つの層は、前記導電性材料から成る層のうちの前記少なくとも１つの層を絶縁する。複数の領域から成る前記少なくとも１つの層は、磁束を非直線方向に伝導するように湾曲していてもよい。前記材料は、それぞれ複数の領域から成る少なくとも２つの層をさらに含んでもよく、先の層の領域上に、次の層の領域が重なるように堆積される。
【００５９】
別の態様では、ラジアル界磁電動モータの固定子コアは、軸周りに回転するように構成されたリング構造を有するヨークと、前記ヨークの内向き面から径方向内側に延在する複数の歯構造とを備える。前記ヨークは、それぞれ複数の領域から成る複数の層によって定められる材料から成る。各層の前記領域は、第１の方向に平坦であり、前記第１の方向に垂直な第２の方向に引き延ばされている。前記平坦かつ引き延ばされた領域は複数で、前記ヨークにおいて前記第２の方向に磁束フローを促進する異方性微細構造を定める。
【００６０】
前記領域は、前記異方性微細構造を方向および場所により異なる微細構造として定めるように堆積されてもよい。前記歯構造は等方性微細構造を有してもよい。前記ヨークの前記異方性微細構造は、前記ヨークにおいて周方向の磁束フローを促進するように構成されてもよい。
【００６１】
別の態様では、ハイブリッド界磁電動モータの固定子巻線コアは、リング構造を有するヨークと、前記ヨークの内向き面上の複数の歯とを備える。前記ヨークおよび前記歯は、それぞれ複数の領域から成る複数の層によって定められる材料から成る。各層の前記領域は、第１の方向に平坦であり、前記第１の方向に垂直な第２の方向に引き延ばされている。前記平坦かつ引き延ばされた領域は複数で、前記ヨークおよび前記歯の１つ以上において前記第２の方向に磁束フローを促進する異方性微細構造を定める。
【００６２】
前記歯における前記磁束フローは、双方向であっても、径方向内向きであっても、径方向外向きであってもよい。前記歯における前記磁束フローは、前記ヨークの主軸に対して角度を成してもよい。前記ヨークおよび前記歯の１つ以上における前記磁束フローは、全方向であってもよい。前記磁束フローの方向は、前記歯それぞれの異なる区域同士で異なってもよい。前記領域はそれぞれ導電性材料コアを有してもよい。前記導電性材料コアは、該コア上に絶縁境界を形成する電気絶縁材料被覆によって少なくとも部分的に覆われる。前記導電性材料コアは鉄合金から成ってもよく、前記電気絶縁材料被覆は酸化アルミニウムから成ってもよい。前記平坦かつ引き延ばされた領域は、前記第１の方向の透磁性に対して、前記第２の方向の透磁性が高くてもよく、前記平坦かつ引き延ばされた領域は、前記第２の方向の電気抵抗率に対して、前記第１の方向の電気抵抗率が高くてもよい。
【００６３】
別の態様では、方法は、第１の複数の粒子を表面に堆積させるために第１の方向にスプレーすることと、スプレーされた前記第１の複数の粒子を前記表面に堆積させ、前記第１の方向に平坦にし、前記第１の方向に実質的に垂直な第２の方向に細長くすることを含み、ここで前記平坦かつ引き延ばされた粒子は第１の層の各領域を形成し、前記方法は次に、第２の複数の粒子を前記第１の層の少なくとも一部に堆積させるために前記第１の方向にスプレーすることと、スプレーされた前記第２の複数の粒子を前記第１の層の少なくとも一部に堆積させ、前記第１の方向に平坦にし、前記第２の方向に細長くすることを含み、ここで前記平坦かつ引き延ばされた粒子は前記第１の層上の第２の層の各領域を形成する。前記第１の層の前記形成された領域と、前記第２の層の前記形成された領域は、前記第２の方向に磁束フローを促進する異方性微細構造を定める。
【００６４】
前記第１の複数の粒子のそれぞれは、導電性材料コアを有してもよい。前記導電性材料コアは、電気絶縁材料被覆によって少なくとも部分的に覆われ、前記導電性材料コアの絶縁境界となる。前記導電性材料コアを有する前記第１の複数の粒子は鉄合金から成ってもよく、前記電気絶縁材料被覆は酸化アルミニウムから成ってもよい。前記スプレーされた第２の複数の粒子の少なくとも一部は、前記第１の層に堆積させなくてもよく、これによって、前記磁束フローを前記第２の方向に分割する。
【００６５】
なお、前述した説明は単なる例に過ぎないことにも注意されたい。種々の変形および修正を当業者が考えることができる。例えば、特許請求の範囲にある種々の従属請求項に記載の特徴は、任意の適切な組合せで互いに組合せ可能である。加えて、前述した様々な実施形態からの特徴を選択的に組み合わせて新たな実施形態とすることも可能である。したがって本明細書は、添付の特許請求の範囲に含まれる変更や修正、変形等のすべての事項を包含するものである。